(57)【要約】【課題】乳癌の手術後における脇や腕の付け根部分の痛みを軽減或いは取り除くことができる乳癌手術後の痛み緩和用上着を提供する。【解決手段】乳癌手術後の痛み緩和用上着１０は、少なくとも胴及び肩を取り巻く胴体部１１と、少なくとも片方の腕を通す袖部１２とを有する上着本体１３を備え、該上着本体１３の肩と脇を取り巻く部位１４には、脇の部分を上方へ引き上げるための引上げ部材１５が設けられている。該引上げ部材１５の引上げ方向Ｘにおける伸縮性が引上げ部材１５以外の上着本体１３の引上げ方向Ｘにおける伸縮性と比べて小さくなるように構成されている。また、引上げ部材は、脇当接部位１８にクッション材１９を備えていることが好ましい。【選択図】図１
0003151831.tif 000002
【実用新案登録請求の範囲】
【請求項１】
少なくとも胴及び肩を取り巻く胴体部と、少なくとも片方の腕を通す袖部とを有する上着本体を備え、該上着本体の肩と脇を取り巻く部位には、脇の部分を上方へ引き上げるための引上げ部材を設けたことを特徴とする乳癌手術後の痛み緩和用上着。
【請求項２】
前記引上げ部材の引上げ方向における伸縮性が引上げ部材以外の上着本体の引上げ方向における伸縮性と比べて小さくなるように構成したことを特徴とする請求項１に記載の乳癌手術後の痛み緩和用上着。
【請求項３】
前記引上げ部材は、脇当接部位にクッション材を備えることを特徴とする請求項１又は請求項２に記載の乳癌手術後の痛み緩和用上着。
【請求項４】
前記引上げ部材は、クッション材を収容するポケットを備えることを特徴とする請求項１から請求項３のいずれか１項に記載の乳癌手術後の痛み緩和用上着。
【請求項５】
前記引上げ部材と引上げ部材以外の上着本体の引上げ方向における伸縮率はそれぞれ１１０〜１５０％及び１４０〜２００％であり、かつ引上げ部材の引上げ方向における伸縮率が引上げ部材以外の上着本体の引上げ方向における伸縮率よりも小さくなるように設定されていることを特徴とする請求項２から請求項４のいずれか１項に記載の乳癌手術後の痛み緩和用上着。
【請求項６】
前記引上げ部材と引上げ部材以外の上着本体の引上げ方向における伸縮率はそれぞれ１２０〜１４０％及び１６０〜１９０％であることを特徴とする請求項５に記載の乳癌手術後の痛み緩和用上着。
【請求項７】
前記引上げ部材と引上げ部材以外の上着本体の引上げ方向における伸縮率の差は３０〜５０％であることを特徴とする請求項５又は請求項６に記載の乳癌手術後の痛み緩和用上着。
【考案の詳細な説明】
【技術分野】
【０００１】
本考案は、乳癌の切除手術後における脇や腕の付け根の痛みを軽減又は取り除くために用いられる乳癌手術後の痛み緩和用上着に関するものである。
【背景技術】
【０００２】
乳癌の手術は脇にあるリンパ節を取り除くことにより行われることから、リンパ節の切除後に腕の付け根から肘の方向へ浮腫ができ、それが原因となって脇や腕の付け根の部分に痛みが生ずる。このような痛みを軽減し、或いは除去するためのサポータなどが提案されている。
【０００３】
例えば、２重構造のシャツの間に保温布を入れた暖かい肩のサポータが提案されている（特許文献１を参照）。このサポータによれば、保温布による保温性により、肩関節の動きを妨げず、冷えによる血行循環障害から起こる肩の疼痛を予防、鎮静させることができる。
【０００４】
また、少なくとも一方の肩甲骨部分を覆う肩覆い部材と、該肩覆い部材に連続し胸部の一部を覆う胸覆い部材と、前記肩覆い部材及び胸覆い部材を肩部及び胸部に装着する装着手段と、肩覆い部材に設けられたブロック固定手段と、該ブロック固定手段により肩覆い部材に装着される弾性ブロックとを備える夜間痛軽減装具（サポータ）が提案されている（特許文献２を参照）。この夜間痛軽減装具によれば、患者が就寝後に寝返り等により体位を変化させても夜間痛緩和効果を維持することができる。
【先行技術文献】
【特許文献】
【０００５】
【特許文献１】実開昭６２−１１３５３６号公報（第１頁、第１図〜第３図）
【特許文献２】特開２００７−３７７１０号公報（第２頁及び第３頁）
【考案の概要】
【考案が解決しようとする課題】
【０００６】
前述のように、乳癌の手術で脇にあるリンパ節を切除した後には脇や腕の付け根の部分に痛みを生じることから、それらの部位の痛みを軽減し、さらに除去することが求められている。しかしながら、特許文献１に記載されているサポータでは、２重構造のシャツの間に保持された保温布による温度効果に基づいて痛みを鎮静させるようになっているが、そのような温度効果だけでは脇や腕の付け根部分の痛みを満足できる程度まで軽減することはできなかった。
【０００７】
一方、特許文献２に記載されている夜間痛軽減装具では、弾性ブロックが肩甲骨付近から外れないため肩関節部分を持続的に支持することはできるが、脇や腕の付け根の部分がそのままの形で保持されるだけである。そのため、脇や腕の付け根の部分における痛みを強制的に取り除くことができず、積極的に痛みの軽減を図ることができなかった。
【０００８】
そこで本考案の目的とするところは、乳癌の手術後における脇や腕の付け根部分の痛みを軽減或いは取り除くことができる乳癌手術後の痛み緩和用上着を提供することにある。
【課題を解決するための手段】
【０００９】
上記の目的を達成するために、請求項１に記載の乳癌手術後の痛み緩和用上着は、少なくとも胴及び肩を取り巻く胴体部と、少なくとも片方の腕を通す袖部とを有する上着本体を備え、該上着本体の肩と脇を取り巻く部位には、脇の部分を上方へ引き上げるための引上げ部材を設けたことを特徴とする。
【００１０】
請求項２に記載の乳癌手術後の痛み緩和用上着は、請求項１において、前記引上げ部材の引上げ方向における伸縮性が引上げ部材以外の上着本体の引上げ方向における伸縮性と比べて小さくなるように構成したことを特徴とする。
【００１１】
請求項３に記載の乳癌手術後の痛み緩和用上着は、請求項１又は請求項２において、前記引上げ部材は、脇当接部位にクッション材を備えることを特徴とする。
請求項４に記載の乳癌手術後の痛み緩和用上着は、請求項１から請求項３のいずれか１項において、前記引上げ部材は、クッション材を収容するポケットを備えることを特徴とする。
【００１２】
請求項５に記載の乳癌手術後の痛み緩和用上着は、請求項２から請求項４のいずれか１項において、前記引上げ部材と引上げ部材以外の上着本体の引上げ方向における伸縮率はそれぞれ１１０〜１５０％及び１４０〜２００％であり、かつ引上げ部材の引上げ方向における伸縮率が引上げ部材以外の上着本体の引上げ方向における伸縮率よりも小さくなるように設定されていることを特徴とする。
【００１３】
請求項６に記載の乳癌手術後の痛み緩和用上着は、請求項５において、前記引上げ部材と引上げ部材以外の上着本体の引上げ方向における伸縮率はそれぞれ１２０〜１４０％及び１６０〜１９０％であることを特徴とする。
【００１４】
請求項７に記載の乳癌手術後の痛み緩和用上着は、請求項５又は請求項６において、前記引上げ部材と引上げ部材以外の上着本体の引上げ方向における伸縮率の差は３０〜５０％であることを特徴とする。
【考案の効果】
【００１５】
本考案によれば、以下のような効果を発揮することができる。
本考案の乳癌手術後の痛み緩和用上着では、少なくとも胴及び肩を取り巻く胴体部と、少なくとも片方の腕を通す袖部とを有する上着本体を備えている。そして、該上着本体の肩と脇を取り巻く部位には、脇の部分を上方へ引き上げるための引上げ部材が設けられている。この引上げ部材により、痛みを感じる脇や腕の付け根の部分が強制的に引き上げられて支えられる。
【００１６】
従って、乳癌手術後の痛み緩和用上着によれば、乳癌の手術後における脇や腕の付け根部分の痛みを満足できる程度に軽減或いは取り除くことができる。
【図面の簡単な説明】
【００１７】
【図１】第１実施形態における乳癌手術後の痛み緩和用上着を着用した状態を示す正面図。
【図２】痛み緩和用上着を着用する前の状態を示す正面図。
【図３】痛み緩和用上着の胴体部から袖部にかけての部分を裏返して示す斜視図。
【図４】胴体部を構成する胸部の面ファスナーと背部の面ファスナーを示す斜視図。
【図５】引上げ部材を袖部から嵌めて装着する状態を示す斜視図。
【図６】第２実施形態における乳癌手術後の痛み緩和用上着を着用した状態を示す正面図。
【図７】痛み緩和用上着の胴体部から袖部にかけての部分を裏返して示す斜視図。
【図８】痛み緩和用上着を着用する前の状態を示す正面図。
【考案を実施するための形態】
【００１８】
以下、本考案の実施形態につき、図面を用いて詳細に説明する。
（第１実施形態）
この第１実施形態においては、乳癌手術後の痛み緩和用上着（以下、単に痛み緩和用上着ともいう）は、袖部が片方の腕のみを通すタイプのものである。図１に示すように、痛み緩和用上着１０は、少なくとも胴及び肩を取り巻く胴体部１１と、少なくとも片方の腕を通す袖部１２とを有する上着本体１３を備え、該上着本体１３の肩と脇を取り巻く部位１４の内面には、脇の部分を上方へ引き上げるための引上げ部材１５が設けられている。この引上げ部材（パワーネット）１５は伸縮性材料によりネット状（網状）に形成され、筒状に構成されて肩と脇を取り巻く部位１４の内面に縫付け部１６で縫い付けられて保持されている。図２に示すように、上着本体１３は胴体部１１の１箇所で切り離されて第１面ファスナー１７ａと第２面ファスナー１７ｂで接合できるように構成され、着用が容易になっている。
【００１９】
前記上着本体１３は、例えば綿９８質量％及びポリウレタン２質量％の丸編みの編物で形成され、その弾性率は経方向２００％及び緯方向１６０％である。この織物は汗を吸収する吸湿性を有している。一方、引上げ部材１５は、ポリウレタン８０質量％及びナイロン２０質量％の繊維でネット状に形成され、その弾性率は経方向１５０％及び緯方向１７０％である。ここで、弾性率は、例えば長さ１０ｃｍの素材が１５ｃｍまで伸びる場合には１５０％であることを意味する。
【００２０】
上着本体１３及び引上げ部材１５は、それぞれ良く伸びる方向が図１の矢印で示す引上げ方向Ｘになるように形成される。すなわち、上着本体１３は経方向が引上げ方向Ｘに設定され、引上げ部材１５は緯方向が引上げ方向Ｘに設定される。引上げ部材１５と該引上げ部材１５以外の上着本体１３の引上げ方向Ｘにおける伸縮率はそれぞれ１１０〜１５０％及び１４０〜２００％であることが好ましく、１２０〜１４０％及び１６０〜１９０％であることがさらに好ましい。引上げ部材１５と該引上げ部材１５以外の上着本体１３の引上げ方向Ｘにおける伸縮率をそれぞれ上記範囲に設定することにより、脇を引上げる引張り力が適切に働き、脇や腕の付け根部分の痛みを効果的に軽減することができる。
【００２１】
さらに、引上げ部材１５の引上げ方向Ｘにおける伸縮性が引上げ部材１５以外の上着本体１３の伸縮性と比べて小さくなるように設定されている。このように構成することにより、引上げ部材１５に基づいて脇を引上げる引張り力を生じさせることができる。引上げ部材１５と該引上げ部材１５以外の上着本体１３の伸縮率の差は３０〜５０％であることが好ましい。この第１実施形態では、伸縮率の差は３０％（２００％−１７０％）である。伸縮率の差をこのように設定することにより、脇を引上げる引張り力を適切に発生させることができる。伸縮率の差が３０％を下回る場合には、脇を引上げる引張り力が不足し、脇や腕の付け根部分の痛みを十分に軽減させることができなくなる。その一方、伸縮率の差が５０％を上回る場合には、脇を引上げる引張り力が強く働き過ぎ、かえって違和感を覚えるようになり好ましくない。
【００２２】
図３に示すように、前記引上げ部材１５は、脇当接部位１８が二重になって袋状に構成され、その中にはクッション材１９が収容保持されている。このクッション材１９としては、ポリウレタン発泡体等の軟質樹脂発泡体、フェルトなどの肩パッドとして使用されているものが用いられる。クッション材１９を備えることにより、脇や腕の付け根の部分に加えられる力を緩和することができる。
【００２３】
図２及び図４に示すように、胴体部１１の背部側及び胸部側の両端部にはそれぞれ第１面ファスナー１７ａ及び第２面ファスナー１７ｂが縫い付けられている。第１面ファスナー１７ａは第２面ファスナー１７ｂよりも幅広に形成され、第１面ファスナー１７ａに対して第２面ファスナー１７ｂを接合する位置を変更することができ、胴体の大きさ（胸囲）に合せて痛み緩和用上着１０を着用できるように構成されている。
【００２４】
図５に示すように、前記引上げ部材１５の外周長は袖部１２の外周長より例えば２〜３ｃｍ短く設定されている。そして、袖部１２を裏返した状態で引上げ部材１５を図５の二点鎖線に示すように引き伸ばし袖部１２を通して肩と脇を取り巻く部位１４に装着し、その状態で引上げ部材１５が肩と脇を取り巻く部位１４に縫い付けられる。このように、引上げ部材１５の外周長を袖部１２の外周長より短く設定し、引上げ部材１５を引き伸ばして装着することにより、引上げ部材１５による引上げ効果を有効に発現させることができる。
【００２５】
次に、以上のように構成された痛み緩和用上着１０についてその作用を説明する。
痛み緩和用上着１０を着用する場合には、図２に示す胴体部１１が開いた状態で、片方の腕を袖部１２に通し、胴体部１１を胴体に巻き付ける。そして、図４に示すように、第２面ファスナー１７ｂを第１面ファスナー１７ａの適宜の位置に貼り付ける。このようにして、図１に示すように、痛み緩和用上着１０を簡単に着用することができる。
【００２６】
この状態で、痛み緩和用上着１０の引上げ部材１５は引上げ方向Ｘの伸縮率が１７０％に設定され、引上げ部材１５以外の上着本体１３の引上げ方向Ｘにおける伸縮率より３０％小さく設定されている。つまり、引上げ部材１５の伸びは小さく、言い換えれば脇や腕の付け根部分を引上げる力を発現させることができる。このため、脇や腕の付け根部分を持ち上げて支持することができ、脇や腕の付け根部分の痛みを和らげることができる。
【００２７】
以上の第１実施形態によって発揮される効果について、以下にまとめて記載する。
・  第１実施形態の痛み緩和用上着１０では、上着本体１３の肩と脇を取り巻く部位１４には、脇の部分を上方へ引き上げるための引上げ部材１５が設けられている。この引上げ部材１５により、痛みを感じる脇や腕の付け根の部分が強制的に引き上げられて支えられ、脇や腕の付け根の部分への負荷が軽減される。
【００２８】
従って、痛み緩和用上着１０によれば、乳癌の手術後における脇や腕の付け根部分の痛みを十分満足できる程度に軽減或いは取り除くことができる。
・  前記引上げ部材１５の引上げ方向Ｘにおける伸縮性が該引上げ部材１５以外の上着本体１３の引上げ方向Ｘにおける伸縮性と比べて小さくなるように構成すれば、引上げ部材１５の引上げ力を有効に発揮させることができる。
【００２９】
・  引上げ部材１５は脇当接部位１８にクッション材１９を備えることにより、そのクッション材１９で脇や腕の付け根の部分に加えられる力を和げることができると共に、脇や腕の付け根部分にできた浮腫を覆って痛みを緩和することができる。
【００３０】
・  引上げ部材１５と該引上げ部材１５以外の上着本体１３の引上げ方向Ｘにおける伸縮率はそれぞれ１１０〜１５０％及び１４０〜２００％であり、かつ引上げ部材１５の引上げ方向Ｘにおける伸縮率が引上げ部材１５以外の上着本体１３の引上げ方向Ｘにおける伸縮率よりも小さくなるように設定されている。このような伸縮率の設定によって適切な引上げ力を得ることができ、脇や腕の付け根の部分における痛みを有効に軽減させることができる。さらに、引上げ部材１５と該引上げ部材１５以外の上着本体１３の引上げ方向Ｘにおける伸縮率はそれぞれ１２０〜１４０％及び１６０〜１９０％であることにより、脇や腕の付け根の部分における痛みを最も有効に軽減させることができる。
【００３１】
・  引上げ部材１５と該引上げ部材１５以外の上着本体１３の引上げ方向Ｘにおける伸縮率の差は３０〜５０％であることにより、伸縮率の差が適度であり、適切な引上げ力が得られると同時に、痛み緩和用上着１０の着用時における違和感を抑えることができる。
（第２実施形態）
この第２実施形態では、痛み緩和用上着１０は、袖部１２が両方の腕を通すタイプのものであり、主に前記第１実施形態と異なる部分について説明し、同一部分については同一の符号を付してその説明を省略する。図６に示すように、第１実施形態で説明されていない他方の腕を通す袖部１２ａ、引上げ部材１５ａ、クッション材１９ａなどは、第１実施形態の袖部１２、引上げ部材１５、クッション材１９と同様に構成されている。図７及び図８に示すように、引上げ部材１５，１５ａの脇当接部位１８，１８ａには、クッション材１９，１９ａを収容するためのポケット２０が設けられ、その開口部２１からクッション材１９，１９ａを出し入れできるように構成されている。そのため、所望とする弾力性、形状（厚さ）等を有するクッション材１９，１９ａをポケット２０に入れて使用することができるようになっている。
【００３２】
図８に示すように、前記第１実施形態の第１面ファスナー１７ａに相当する第１面ファスナー１７ａは胴体部１１の中間外面に設けられ、胴体部１１の他の端部には第３面ファスナー１７ｃが縫い付けられると共に、胴体部１１の中間内面には第４面ファスナー１７ｄが縫い付けられている。
【００３３】
さて、痛み緩和用上着１０を着用する場合には、図８に示すように、一方の腕を一方の袖部１２に通した後、他方の腕を他方の袖部１２ａに通し、胴体部１１を胴体に巻き付ける。このとき、第３面ファスナー１７ｃを第４面ファスナー１７ｄに貼り付けた後、第２面ファスナー１７ｂが縫い付けられている部分を胴体の前部を回して第１面ファスナー１７ａに貼り付ける。このようにして、図６に示すように、痛み緩和用上着１０を容易に着用することができる。
【００３４】
この状態で、痛み緩和用上着１０の引上げ部材１５，１５ａは引上げ方向Ｘの伸縮率が１７０％に設定され、引上げ部材１５以外の上着本体１３の引上げ方向Ｘにおける伸縮率より３０％小さく設定されていることから、両方の脇や腕の付け根部分を引上げる力を発現することができる。このため、両方の脇や腕の付け根部分を持ち上げて支持することができ、両方の脇や腕の付け根部分の痛みを同時に和らげることができる。
【００３５】
さらに、引上げ部材１５，１５ａにはクッション材１９，１９ａを出し入れするポケット２０が設けられていることから、弾力性や厚さの異なるクッション材１９，１９ａを選択して使用することができ、脇や腕の付け根部分の痛みの緩和を自分で容易に調整することができる。
【００３６】
なお、前記両実施形態は、次のように変更して具体化することも可能である。
・  前記両実施形態において、上着本体１３を綿９２質量％及びポリウレタン８０質量％で形成された平織り（天竺織り）の編物で構成することができる。さらに、上着本体１３をポリエステル、ナイロン又はポリウレタンの混紡で形成された丸編み（緯編みの一種）の編物で構成することができる。
【００３７】
・  前記両実施形態において、上着本体１３をナイロン又はポリウレタンで形成された経編みの編物で構成し、その引上げ方向Ｘにおける伸縮率を１５０〜２００％に設定したものを使用することができる。この場合、肌に触れる上着本体１３の伸縮性が良く、着心地を良好にすることができる。
【００３８】
・  上着本体１３の胴体部１１と袖部１２，１２ａとを切り離し、引上げ部材１５，１５ａを介して一体化するように構成することも可能である。
・  前記両実施形態において、引上げ部材１５，１５ａを上着本体１３の外面に設けることも可能である。
【００３９】
・  前記第１から第４面ファスナー１７ａ、１７ｂ、１７ｃ及び１７ｄを、ボタン、ファスナー（チャック）等に変更することができる。
【符号の説明】
【００４０】
１０…乳癌手術後の痛み緩和用上着、１１…胴体部、１２…袖部、１３…上着本体、１４…肩と脇を取り巻く部位、１５，１５ａ…引上げ部材、１８…脇当接部位、１９，１９ａ…クッション材、２０…ポケット、Ｘ…引上げ方向。
【図１】
0003151831.tif 000003
【図２】
0003151831.tif 000004
【図３】
0003151831.tif 000005
【図４】
0003151831.tif 000006
【図５】
0003151831.tif 000007
【図６】
0003151831.tif 000008
【図７】
0003151831.tif 000009
【図８】
0003151831.tif 000010